(57)【特許請求の範囲】
【請求項１】
回路遮断器本体の起倒操作部に近接して配設され、かつ、開閉操作部による回転変位を直線変位に変換して上記起倒操作部を開閉操作するようになされた外部操作装置と、上記回路遮断器本体の可動接触子が開離動作するときは、その動作に連動して上記外部操作装置の方向に向かって上記回路遮断器本体の筐体から突出し、可動接触子が閉合状態のときは上記筐体内に引き込まれるように作動する連結部材と、上記開閉操作部に近接して立設された施錠用貫通孔付き固定部と、上記開閉操作部がＯＦＦ位置にあるとき、上記固定部の施錠用貫通孔に対向するように上記開閉操作部に形成された施錠用貫通孔部と、上記連結部材の作動に連動し、上記回路遮断器本体の可動接触子が閉合しているときは上記固定部の施錠用貫通孔を封鎖し、上記可動接触子が開離したときは上記固定部の施錠用貫通孔の封鎖を解除するシャッター部材とを備え、上記可動接触子が開離したとき上記固定部の施錠用貫通孔と上記外部操作部の施錠用貫通孔部とが連通して錠前等により施錠できるように構成したことを特徴とする外部操作装置付き回路遮断器。
【請求項２】
回路遮断器本体の起倒操作部に近接して配設され、かつ、開閉操作部による回転変位を直線変位に変換して上記起倒操作部を開閉操作するようになされた電動外部操作装置及び上記電動外部操作装置に隣接した手動外部操作装置と、上記回路遮断器本体の可動接触子が開離動作するときは、その動作に連動して上記両外部操作装置の方向に向かって上記回路遮断器本体の筐体から突出し、可動接触子が閉合状態のときは上記筐体内に引き込まれるように作動する連結部材と、上記手動外部操作装置側の開閉操作部に近接して立設された施錠用貫通孔付き固定部と、上記手動開閉操作部がＯＦＦ位置にあるとき、上記固定部の施錠用貫通孔に対向するように上記手動外部操作装置側の開閉操作部に形成された施錠用貫通孔部と、上記連結部材の作動に連動し、上記回路遮断器本体の可動接触子が閉合しているときは上記固定部の施錠用貫通孔を封鎖し、上記可動接触子が開離したときは上記固定部の施錠用貫通孔の封鎖を解除するシャッター部材と、上記電動外部操作装置の通電スイッチに対し一端が接離すると共に他端の遮断壁が上記手動外部操作装置側開閉操作部の施錠用貫通孔部を封鎖できるように形成されたスイッチノブとを備え、上記可動接触子が開離したとき上記固定部の施錠用貫通孔と上記手動外部操作装置側の開閉操作部の施錠用貫通孔部とが連通し、上記スイッチノブが通電スイッチを開離したとき遮断壁が上記手動外部操作装置側開閉操作部の施錠用貫通孔部の封鎖を解除して、上記連通した施錠用貫通孔を介して錠前等により施錠できるように構成したことを特徴とする外部操作装置付き回路遮断器。
【請求項３】
回路遮断器本体は、筐体内部に連結部材用摺動溝と、上記摺動溝の出口に設けられた閉塞部を有し、連結部材は、上記閉塞部を除去して筐体外部から挿入されたものであることを特徴とする請求項１または請求項２記載の外部操作装置付き回路遮断器。
【発明の詳細な説明】
【０００１】
【発明の属する技術分野】
この発明は、外部操作装置付き回路遮断器において、盤内にある回路遮断器の投入及び開放を、盤の扉側からハンドルを介して行う外部付属装置や、外部から遠隔操作を行う電動操作装置に対し、特に、そのＯＦＦ時の操作を機械的及び電気的に拘束するＯＦＦロック装置に関するものである。
【０００２】
【従来の技術】
近年の回路遮断器については、ＥＣ機械指令に関する規格（ＥＮ６０２０４―１）があり、機械の電気装置に使用する回路遮断器の条件の中にアイソレーション適合条件があり、その条件の１つに「ＯＦＦ位置でロック可能な装置のあること」があげられている。このＯＦＦロック装置の規定として「主接点が、オープン位置のときにのみロック可能のこと。」があり、その検証方法として「ＯＮ状態において、ＯＦＦロック装置でロックできないこと。」とされている。この要求は、盤内にある回路遮断器を外部から操作する為に、盤の扉側にハンドルを取り付けるようになされた外部付属装置や、回路遮断器を遠隔操作する為に回路遮断器の外部に付属装置を取付けたりする場合にもこのＯＦＦロック装置の要求がある。このアイソレーション適合条件の規格化された背景は、従来の適合しないものの場合、長期間の使用や、短絡事故等で主回路の接点が溶着した場合でも、一般的な回路遮断器で採用されているトグルリンクからなる開閉機構の場合は、スプリングバックはあるが、操作取っ手は手動でＯＦＦ位置に移動可能であり、この状態で強引にＯＦＦロックすることも可能である。また、この接点が溶着した状態で電動操作装置の場合は、電気的動力で同様にＯＦＦ位置まで操作が可能である。従って、主回路の接点が溶着状態でありながらＯＦＦロックができることになる。
【０００３】
図１８は、例えば米国特許第５４７７０１６号公報に示された回路回路遮断器の外部操作装置のＯＦＦロック機構の説明図である。上述のようなＥＣ機械指令に関する規格のアイソレーション適合条件を満たす為に、回路遮断器の主回路の接点が溶着した場合等の事故を含めて、本来、主接点が開いた場合のみＯＦＦロックする為に、図１５に示されるような電動操作装置の場合、主接点部材である可動子１に直接連動する部材をロックする構造としている。詳述しないが、回路遮断器の可動子１が開いた状態になると、回路遮断器のリンクロッド２、電動操作装置のプッシュロッド３を介して表示部４はＯＦＦ状態を表示する。これと同時にラッチ部分５は鍵掛け部６との係合が外れる。これにより鍵掛け部６は外部に引き出し可能となり、鍵孔６ａが露出する為、鍵孔６ａに鍵６ｂを通してＯＦＦロックが可能となる。これと同時に、電動操作装置は電気的にはスイッチが開いた状態になり、通電されず外部操作ができなくなる。図示しないが、当然、ＯＮ状態の場合は、ラッチ部分５が鍵掛け部６と係合し、鍵掛け部６は外部に引き出せなくなり、ロックはできない。
【０００４】
【発明が解決しようとする課題】
主回路の接点が溶着状態でありながらＯＦＦロックができる場合があり、また、上記従来例は、引き出し可能の鍵掛け部６をユーザーが引き出す必要があり、操作が煩雑であるという問題点があった。さらに、ＯＮ時には鍵掛け部６が電動操作部の内部にある為、注意書き等をしてＯＦＦロック時に引き出し操作を行うようにユーザーに注意を喚起しなければならないという問題点もあった。
【０００５】
この発明は、上述のような問題点を解決するためになされたものであり、煩雑な操作を行はずに解かり易い操作で回路遮断器の外部付属装置である操作取っ手や電動操作装置が、安価で安全なＯＦＦロック操作ができる外部操作装置付き回路遮断器を提供することを目的とする。
【０００６】
【課題を解決するための手段】
この発明の請求項１に係る外部操作装置付き回路遮断器は、回路遮断器本体の起倒操作部に近接して配設され、かつ、開閉操作部による回転運動を直線運動に変換して起倒操作部を開閉操作するようになされた外部操作装置と、回路遮断器本体の可動接触子が開離動作するときは、その動作に連動して外部操作装置の方向に向かって回路遮断器本体の筐体から突出し、可動接触子が閉合状態のときは筐体内に引き込まれるように作動する連結部材と、開閉操作部に近接して立設された施錠用貫通孔付き固定部と、開閉操作部がＯＦＦ位置にあるとき、固定部の施錠用貫通孔に対向するように開閉操作部に形成された施錠用貫通孔部と、連結部材の作動に連動し、回路遮断器本体の可動接触子が閉合しているときは固定部の施錠用貫通孔を封鎖し、可動接触子が開離したときは固定部の施錠用貫通孔の封鎖を解除するシャッター部材とを備え、可動接触子が開離したとき固定部の施錠用貫通孔と外部操作部の施錠用貫通孔部とが連通して錠前等により施錠できるように構成したものである。
【０００７】
この発明の請求項２に係る外部操作装置付き回路遮断器は、外部操作装置が電動機で操作する機構のものである。即ち、回路遮断器本体の起倒操作部に近接して配設され、かつ、開閉操作部による回転運動を直線運動に変換して起倒操作部を開閉操作するようになされた電動外部操作装置及び電動外部操作装置に隣接した手動外部操作装置と、回路遮断器本体の可動接触子が開離動作するときは、その動作に連動して上記両外部操作装置の方向に向かって上記回路遮断器本体の筐体から突出し、可動接触子が閉合状態のときは筐体内に引き込まれるように作動する連結部材と、手動外部操作装置側の開閉操作部に近接して立設された施錠用貫通孔付き固定部と、手動開閉操作部がＯＦＦ位置にあるとき、固定部の施錠用貫通孔に対向するように手動外部操作装置側の開閉操作部に形成された施錠用貫通孔部と、連結部材の作動に連動し、回路遮断器本体の可動接触子が閉合しているときは固定部の施錠用貫通孔を封鎖し、可動接触子が開離したときは固定部の施錠用貫通孔の封鎖を解除するシャッター部材と、電動外部操作装置の通電スイッチに対し一端が接離すると共に他端の遮断壁が手動外部操作装置側開閉操作部の施錠用貫通孔部を封鎖できるように形成されたスイッチノブとを備え、可動接触子が開離したとき固定部の施錠用貫通孔と手動外部操作装置側の開閉操作部の施錠用貫通孔部とが連通し、スイッチノブが通電スイッチを開離したとき遮断壁が手動外部操作装置側開閉操作部の施錠用貫通孔部の封鎖を解除して、上記連通した施錠用貫通孔を介して錠前等により施錠できるように構成したものである。
【０００８】
この発明の請求項３に係る外部操作装置付き回路遮断器は、回路遮断器本体は、筐体内部に連結部材用摺動溝と、上記摺動溝の出口に設けられた閉塞部を有し、連結部材は、上記閉塞部を除去して筐体外部から挿入されたものである。
【０００９】
【発明の実施の形態】
実施の形態１．
図１〜図６は、この発明の実施の形態１である外部操作装置付き回路遮断器を示す図である。図１と図４は、ＯＦＦロック装置を備えた外部操作装置の正面図であり、図２と図５はその側断面図、図３と図６はＯＦＦロック機構の左側断面図である。また、図１〜図３は回路遮断器の接点が閉じた状態、即ちＯＮの状態であり、図４〜図６は回路遮断器の接点が開いた状態、即ちＯＦＦの状態である。以下にその構成について説明する。
【００１０】
回路遮断器本体７には、可動接触子８の動作に連動して外部操作装置方向へ直動するようにガイドされ、回路遮断器本体の筐体から突出するように形成された連結部材９を設ける。可動接触子８は軸８ａを支点に起倒操作部１０に連動して所定の開閉角度だけ回動可能である。この連結部材９の一端９ａは可動接触子８の腕部８ｂに当接する。
【００１１】
次に、外部操作装置１１のＯＦＦロック部１２の構成について述べる。外部操作装置１１には、回路遮断器本体７の連結部材９の他端に押圧され、この連結部材９に連動して開閉操作部１３の回転軸方向に摺動するシャッター部材１４が設けられている。このシャッター部材１４は、図３に示すように、開閉操作部１３の回転部１７に近接して立設された施錠用貫通孔付き固定部１５のガイド溝１５ａでガイドされている。また、シャッター部材１４の一端には錠前等の取り付け用の貫通孔１４ａが設けられている。さらに、このシャッター部材１４は、ばね１６で回路遮断器本体７側へ付勢されている。なお、開閉操作部１３の回転部１７にも後述する錠前２２のための施錠用貫通孔１７ａが設けられている。１５ｂは施錠用貫通孔付き固定部１５の施錠用貫通孔である。
【００１２】
外部操作の動作を行う為には、外部操作装置１１の開閉操作部１３の回転変位を回路遮断器の起倒操作部１０の直線起倒変位に変換して行われる。この変換の為に中継ぎする案内部材１８が設けられている。この案内部材１８はガイドピン１９でガイドされて直線変位が可能になる。当然この案内部材１８と回路遮断器の起倒操作部１０は案内部材１８の係合部１８ａで係合している。また、この案内部材１８には長孔１８ｂが設けけられており、この長孔１８ｂに外部操作装置１１の開閉操作部１３に嵌入した作動ピン２０が係合する。これにより、開閉操作部１３の回転力が案内部材１８に伝達される。
【００１３】
次に、この発明の外部操作装置のＯＦＦロック機構の動作について説明する。図１〜図３は接点が閉じた状態、即ち、ＯＮの状態であり、可動接触子８は軸８ａを支点として時計方向に回動し、接圧ばね（図示せず）により可動接点８ｃが固定接点２１に対し所定の接点圧力が得られるように付勢されている。このとき、図３に示すようにシャッター部材１４はばね１６により絶えず回路遮断器本体７側へ付勢されており、また、連結部材９は図２に示すように、可動接触子８の腕部８ｂに当接している為、この連結部材９とシャッター部材１４は最も回路遮断器本体７側へ移動した状態となる。このＯＮ状態においては、シャッター部材１４の貫通孔１４ａと外部操作装置１１の固定部１５の貫通孔１５ｂは、位置ずれした状態になるように構成されている為、後述する錠前２２を貫通孔１４ａ，１５ｂに通すことはできない。また、図３に示すように、外部操作装置１１の回転部１７の施錠用貫通孔１７ａは操作角度のぶん固定部１５の施錠用貫通孔１５ｂとずれている為、これもまた当然、錠前２２を施錠用貫通孔に通すことはできず、０Ｎ時状態においてはロックはできない。つまり、このシャッター部材１４は錠前２２の誤施錠を防止する機能を有している。
【００１４】
図４〜図６は接点が開いた状態、すなわちＯＦＦの状態であり、図１〜図３のＯＮの状態からＯＦＦの状態への動作の動きを説明する。外部操作装置１１の開閉操作部１３を図１の状態から図４の状態、つまり反時計方向へ回転させると、案内部材１８は開閉操作部１３に嵌入した作動ピン２０が案内部材１８の長孔１８ｂに回転変位を与えるが、案内部材１８はガイドピン１９にガイドされている為、図４に示すように、左方向に直線変位する。案内部材１８と回路遮断器本体７の起倒操作部１０は、図５に示すように案内部材１８の係合部１８ａで連結されている為、回路遮断器本体７の起倒操作部１０は反時計方向に回動する。これにより、図示しない回路遮断器本体７の開閉機構部により可動接触子８は軸８ａを支点として反時計方向に回動し、可動接触子８は固定接点２１から離れＯＦＦ状態となる。
【００１５】
ここで、図５に示すように、可動接触子８が反時計方向へ回動すると、連結部材９の一端９ａが可動接触子８の腕部８ｂに当接している為、外部操作装置１１側へ直動するようにガイドされて上方向へ変位する。この連結部材９の変位に伴い外部操作装置１１のシャッター部材１４も外部方向へ変位する。ここで、図６に示すように、可動接触子８がのＯＦＦ状態でシャッター部材１４の他端にある錠前等２２の取り付け貫通孔１４ａの位置は、外部操作装置１１の固定部１５の施錠用貫通孔１５ｂと位置が合致する。また、回転部１７がＯＦＦ位置にある場合は、図６に示すように、回転部１７の施錠用貫通孔１７ａは角度的に固定部１５の貫通孔１５ｂとも合致するように構成されている為、３つの貫通孔１４ａ，１５ｂ，１７ａはすべて位置が合致し錠前２２を通すことができ、ＯＦＦ時の操作のロックが可能となる。
【００１６】
ここで、回路遮断器本体７の起倒操作部１０から可動接触子８までの図示しない開閉機構は、「三菱ノーヒューズ回路遮断器  技術資料集  第2.1.2 項  第９頁開閉機構（図２．２）：三菱電機株式会社１９９８年  ３月」や「ノーヒューズブレーカーの原理と適用  第３３頁  （２，２４図）：電気書院、  昭和５０年４月１０発行、服部謙  編」等に記載されている一般的なトグルリンクを応用した機構の場合である。ここで、可動接触子８と固定接点２１が短絡事故等により溶着しても開閉操作部１３を強引にＯＦＦ方向へ変位させるとデッドポイントを超えてＯＦＦ位置まで停止はせずに負荷を外せば再びＯＮ方向へ開閉操作部１３は復帰するが、変位可能である。このときシャッター部材１４は可動接点に連動している為、ＯＮ時と同じ状態であり当然貫通孔１４ａは回転部１７の施錠用貫通孔１７ａ及び固定部１５の施錠用貫通孔１５ｂとはずれた位置関係である為、錠前を貫通孔に通すことはできず開閉操作部１３がＯＦＦ位置であってもロックはできない。
【００１７】
実施の形態２．
図７〜図１２は、この発明の実施の形態２である外部操作装置付き回路遮断器を示す図であり、上述の実施の形態１のＯＦＦロック機構を電動操作装置付き回路遮断器に応用した実施例である。図７と図１０は正面図、図８と図１１はその側断面図、図９と図１２はＯＦＦロック部の左側断面図である。図７〜図９は回路遮断器の接点が閉じた状態、即ち、ＯＮの状態であり、かつ電動操作装置２３への通電がＯＮの場合である。図１０〜図１２は接点が開いた状態、即ち、ＯＦＦの状態であり、かつ電動操作装置２３への通電がＯＦＦの場合である。以下、その構成について説明する。
【００１８】
この発明の構成の概要を実施の形態１と比較して説明する。電動操作装置２３には、実施の形態１で述べた開閉操作部１３の回転部１７に相当する駆動部２４を設けて、案内部材１８に相当する案内部材２５を往復運動させる。この実施の形態２では、ＯＦＦロック部２６はこの電動操作装置２３の手動操作部２７に構成する為、基本的構成は実施の形態１と同様である。この手動操作は通常の操作である電動操作の電気的接続を切って、手動操作部２７先端の六角穴２７ａに六角レンチを差し込んで行う。手動でこの手動操作部２７を回転させると、この手動操作部２７の先端である手動レバー部２７ｃが係合している案内部材２５がガイドシャフト２９に沿って直進変位する。これにより実施の形態１同様に回路遮断器本体７の起倒操作部１０を直進起倒変位させて可動接触子８を動作させ接点の開閉を行うことができる。
【００１９】
次に、この発明の実施の形態２の構成の詳細を説明する。図８に示すように、回路遮断器本体７には、実施の形態１と同様に可動接触子８の動作に連動し電動操作装置方向、すなわち上下方向へ直動するようにガイドされ変位可能な連結部材９を設ける。可動接触子８は軸８ａを中心に起倒操作部１０に連動して所定の開閉角度だけ回転可能である。この連結部材９の一端９ａは可動接触子８の腕部８ｂに当接する。
【００２０】
次に、電動操作装置２３のＯＦＦロック部２６の構成について述べる。この実施の形態２の電動操作装置２３には、この回路遮断器本体７の連結部材９の他端に当接して、その変位を伝達するスイングレバー３０とその回転軸３０ａを設けてある。このスイングレバー３０の他端に当接し変位を受け、実施の形態１と同様に手動操作部２７の回転軸方向に連動するシャッター部材３１を設ける。また、シャッター部材３１とスイングレバー３０は係合部３１ａで常時係合されている。このシャッター部材３１は、固定部３２のガイド溝３２ａでガイドされている。また、このシャッター部材３１は、図示しないばねで回路遮断器本体７と反対側（図示上側方向）へ付勢されている。また、この電動操作装置２３の手動操作部２７にも施錠用貫通孔２７ｂを設ける。電動操作装置２３の固定部３２にも施錠用貫通孔２７ｂが対向する位置に施錠用貫通孔３２ｂを設ける。
【００２１】
次に、電動操作の駆動の構成について説明する。図８に示すように、電動操作を行う為に、電動操作装置２３に駆動部２４を設ける。この駆動部２４は、電動機２４ａと複数のギヤ２４ｂで構成されている。これにより、後述する案内部材２５との連動を行うローター部３３を回転させることができる。次に、駆動部２４の回転変位を回路遮断器の起倒操作部１０の直線起倒変位の為に中継ぎする案内部材２５を設ける。この案内部材２５は、ガイドシャフト２９でガイドされて図示の左右方向へ直線変位が可能である。当然この案内部材２５と回路遮断器の起倒操作部１０は、図１４に示すように、案内部材２５の係合部２５ａで係合している。また、この案内部材２５には当接部２５ｂを設け、ローター部３３に嵌入した作動ピン３４が当接する。これにより、駆動部２４の回転力が案内部材２５に伝達される。
【００２２】
次に、電動操作と手動操作の切り替えの構成について、図７〜図９に基づき説明する。電動操作と手動操作の切り替えの為に、駆動部２４の電動機２４ａへの通電の開閉を行うスイッチ部３５を設ける。このスイッチ部３５は、電気スイッチ３５ａとスイッチノブ３５ｂから構成される。また、図７、図８に示すように、電動操作装置２３への通電がＯＮの場合、スイッチノブ３５ｂには手動操作部２７の先端の六角穴２７ａとＯＦＦロック部２６の施錠用貫通孔２７ｂを塞ぐように、遮断壁３５ｃが設けられている。
【００２３】
以下、この発明の外部操作装置のＯＦＦロック機構の動作について説明する。図７〜図９は、回路遮断器の接点がＯＮで、かつ電動操作装置２３への通電がＯＮ状態を示す図である。図１０〜図１２は、回路遮断器の接点がＯＦＦの状態で、かつ電動操作装置２３への通電がＯＦＦ状態を示す図である。
【００２４】
図８に示すように、可動接触子８は軸８ａを支点として時計方向に回動し、図示しないばねで固定接点２１に所定の接点圧力が得られるように付勢されている。この時、図８に示すようにシャッター部材３１は常時回路遮断器本体７と反対側（図示上側方向）へ図示しないばねで付勢され、スイングレバー３０と係合部３１ａで係合しており、また連結部材９の下端部は可動接触子８の腕部８ｂに当接している。これにより、このシャッター部材３１は最も回路遮断器本体７と反対側（図８に示す上側方向）へ、また、連結部材９は最も回路遮断器本体側（図８に示す下側方向）へ移動した状態となる。この状態では、シャッター部材３１は電動操作装置２３の固定部３２の貫通孔３２ｂを塞いだ状態になるように構成されている為、錠前２２をロック孔に通すことはできない。また、図７に示すように、電動操作装置２３の手動操作部２７の施錠用貫通孔２７ｂは操作角度のぶん固定部３２の貫通孔３２ｂとずれている為、これもまた当然錠前２２を施錠用貫通孔に通すことはできず０Ｎ時の操作のロックはできない。つまり、このシャッター部材３１は錠前２２の誤施錠を防止する機能を有している。
【００２５】
次に、この電動操作装置の手動操作について同様に説明する。図７、図８、図９から図１０、図１１、図１２への動きを説明する。手動操作は、電動操作装置２３のスイッチ部３５のスイッチノブ３５ｂを図８の状態から図１１の状態、つまり左方向へ移動させるとスイッチノブ３５ｂで塞がれていたＯＦＦロック部２６と手動操作部２７先端の六角穴２７ａ（図１０に示す）が現れる。次に、この六角穴２７ａに六角レンチを差し込み図７から図１０の状態、つまりこの図で反時計方向へ回転させると、この手動操作部２７の先端である手動レバー部２７ｃが係合している案内部材２５がガイドシャフト２９に沿って左方向へ直進変位する。案内部材２５と回路遮断器本体７の操作部１０は案内部材２５の係合部２５ａで連結されている為、回路遮断器本体７の起倒操作部１０は同様に図の左方向に変位する。これにより、図示しない回路遮断器本体７の開閉機構部により可動接触子８は反時計方向に回転し可動接点８ｃは固定接点２１から離れＯＦＦ状態となる。
【００２６】
ここで、連結部材９は可動接触子８が反時計方向へ回転すると、その一端９ａが可動接触子８の腕部８ｂに当接している為、外部操作装置側へ直動するようにガイドされて変位する。この連結部材８の変位に伴い電動操作装置２３のシャッター部材３１は、図示しないばねにより付勢され、また、スイングレバー３０を中継して回路遮断器本体側（図１１に示す下方向）へ変位する。これにより、ＯＦＦ状態の可動接触子８の位置でシャッター部材３１の端部３１ｂは、電動操作装置２３の固定部３２の施錠用貫通孔３２ｂよりも回路遮断器側（図１２に示す下方向）へ変位する為、閉鎖された施錠用貫通孔３２ｂを開放する。同様に、手動操作部２７がＯＦＦの角度位置にある場合は、手動操作部２７の施錠用貫通孔２７ｂは角度的に固定部３２の施錠用貫通孔３２ｂとも合致するように構成されている為、２つの施錠用貫通孔２７ｂ，３２ｂは位置が合致し、錠前２２を通すことができ、ＯＦＦ時の操作のロックが可能となる。一方、接点がＯＮ時は、図８に示す手動操作部２７と固定部３２の施錠用貫通孔３２ｂとは操作角度だけずれた位置関係である為、スイッチノブ３５ｂを図の左の方向に移動させても、錠前２２をロック孔２７ａに通すことはできない。
【００２７】
実施の形態３．
上記実施の形態１及び２による外部操作装置付き回路遮断器のＯＦＦロック機構では、連結部材９が回路遮断器本体７の筐体に内蔵される構成になされていた。従って、ＯＦＦロック機構を備えた外部操作装置付き回路遮断器を供給するためには、回路遮断器本体７の筐体を開いて連結部材９を内蔵するなどの改造が必要であった。このため、改造に手数がかかるので高価になっていた。また、筐体を開いて改造することは、誤って関係のない部分に接触するおそれがあるので、回路遮断器の信頼性を低下させるなどの問題点もあった。
【００２８】
この発明は、上記のような問題点を解消した回路遮断器、即ち、外部操作装置付き回路遮断器として、安価で信頼性が高い回路遮断器を提供することを目的とする。
【００２９】
以下、この発明の外部操作装置付き回路遮断器を図１５〜図１７を参照して説明する。図はいずれも内部素子や端子金具や外部操作装置などを省略したもので、図１５は正面図、図１６はその側断面図、図１７は左側断面図である。図において、５０はカバー、６０はベースであり、回路遮断器本体の筐体を形成するものである。９０は上記実施の形態１及び２における連結部材９に相当する連結部材であり、例えば高強度の合成樹脂材で形成されたものである。５１は連結部材９０を挿入するための挿入口を塞ぐ閉塞部である。なお、この閉塞部５１は薄膜状になっており、カバー５０の外部から除去できるように形成されている。従って、外部操作装置付きでなく通常の回路遮断器として使用するときは閉塞部５１で塞がれたままにしておく。５２はカバー５０の内部に形成された摺動溝であり、連結部材９０を挿入したときの摺動用ガイドになる。上記以外の構造あるいは機構などは、実施の形態１及び２における外部操作装置付き回路遮断器と同様のものである。
【００３０】
上記外部操作装置付き回路遮断器のＯＦＦロック機構を得る場合には、閉塞部５１を除去して連結部材９０を挿入する。連結部材９０には係止部９１が設けてあるので、連結部材９０はこの係止部９１の部分まで挿入される。即ち、連結部材９０は、全体の長さ及び係止部９１の位置により、外部操作装置に対応した所定の作動ストロークが設定できる。この連結部材９０が設置できれば、ＯＦＦロック機構を有する外部操作装置付き回路遮断器は、上記実施の形態１及び２と同様に構成される。
【００３１】
【発明の効果】
この発明は、施錠用貫通孔を開閉するシャッター部材を設けたことが特徴であり、その動作は回路遮断器本体の操作部には直接関係せず、可動接点の直接の動作でＯＮ時には、施錠用貫通孔をシャッター部材で封鎖することにより、施錠できない構造に成されている。従って、この発明の実施の形態１は、従来のような施錠部をユーザーが引き出す必要がなく、操作上の煩雑さが解消され、また注意書き等をしてＯＦＦロック時に引き出す操作を行うようにユーザーに示めす必要もなくなる。
【００３２】
実施の形態２では、このＯＦＦロック機構を電動操作の例に応用した場合で、このＯＮ時は電気操作とマニュアルの切り替えのスイッチノブが施錠用貫通孔を塞ぐ為、ＯＮ時にロックできないよう二重の安全機構となる。
【００３３】
実施の形態３の回路遮断器は、連結部材９０を筐体の外部から設置できるので、安価で信頼性が高い外部操作装置付き回路遮断器が提供できる。
【図面の簡単な説明】
【図１】  実施の形態１の接点ＯＮ時の正面図である。
【図２】  実施の形態１の接点ＯＮ時の要部側断面図である。
【図３】  実施の形態１の接点ＯＮ時のＯＦＦロック部左側断面図である。
【図４】  実施の形態１の接点ＯＦＦ時の正面図である。
【図５】  実施の形態１の接点ＯＦＦ時の要部側断面図である。
【図６】  実施の形態１の接点ＯＦＦ時のＯＦＦロック部左側断面図である。
【図７】  実施の形態２の接点ＯＮ、電動操作ＯＮ時の正面図である。
【図８】  実施の形態２の接点ＯＮ、電動操作ＯＮ時の要部側断面図である。
【図９】  実施の形態２の接点ＯＮ、電動操作ＯＮ時のＯＦＦロック部左側断面図である。
【図１０】  実施の形態２の接点ＯＦＦ、電動操作ＯＦＦ時の正面図である。
【図１１】  実施の形態２の接点ＯＦＦ、電動操作ＯＦＦ時の要部側断面図である。
【図１２】  実施の形態２の接点ＯＦＦ、電動操作ＯＦＦ時のＯＦＦロック部左側断面図である。
【図１３】  実施の形態２の接点ＯＮ、電動操作ＯＮ時の正面図である。
【図１４】  図１３の線ア―ア線に沿う要部側断面図である。
【図１５】  実施の形態３の回路遮断器の説明用正面図である。
【図１６】  実施の形態３の回路遮断器の説明用要部側断面図である。
【図１７】  実施の形態３の回路遮断器の説明用右側断面図である。
【図１８】  従来の回路遮断器の外部操作装置のＯＦＦロック機構の説明図である。
【符号の説明】
７  回路遮断器本体、８  可動接触子、８ｃ  可動接点、９  連結部材、
１０  起倒操作部、１１  外部操作装置、１４  シャッター部材、
１４ａ  施錠用貫通孔、１５  固定部、１５ｂ  施錠用貫通孔、
１７  回転部、１７ａ  施錠用貫通孔、２２  錠前、２４  駆動部。
【図１】
0003787455.tif 000002
【図２】
0003787455.tif 000003
【図３】
0003787455.tif 000004
【図４】
0003787455.tif 000005
【図５】
0003787455.tif 000006
【図６】
0003787455.tif 000007
【図７】
0003787455.tif 000008
【図８】
0003787455.tif 000009
【図９】
0003787455.tif 000010
【図１０】
0003787455.tif 000011
【図１１】
0003787455.tif 000012
【図１２】
0003787455.tif 000013
【図１３】
0003787455.tif 000014
【図１４】
0003787455.tif 000015
【図１５】
0003787455.tif 000016
【図１６】
0003787455.tif 000017
【図１７】
0003787455.tif 000018
【図１８】
0003787455.tif 000019